(57)【要約】【課題】低廉に製造可能であり、且つ、有効成分を放出する機能を有するスピーカ装置を提供する。【解決手段】本出願は、音声信号に応じて音声を放出する放出部と、放電下で有効成分を生じさせる生成部と、を備えるスピーカ装置を開示する。前記生成部は、前記放電を引き起こす電極棒を含む。前記電極棒は、前記音声が放出される放出方向に延設される。【選択図】図１
2015201747.tif 000002
【特許請求の範囲】
【請求項１】
音声信号に応じて音声を放出する放出部と、
放電下で有効成分を生じさせる生成部と、を備え、
前記生成部は、前記放電を引き起こす電極棒を含み、
前記電極棒は、前記音声が放出される放出方向に延設されることを特徴とするスピーカ装置。
【請求項２】
前記放出部は、前記音声が放出される放出領域を規定し、
前記電極棒の断面の中心を通過する中心線は、前記放出領域と交差することを特徴とする請求項１に記載のスピーカ装置。
【請求項３】
前記放出部は、前記音声が放出される放出領域を規定し、
前記生成部は、前記電極棒に対向する開口部が形成された開口部材を含み、
前記開口部は、前記放出領域の上方に形成されることを特徴とする請求項１に記載のスピーカ装置。
【請求項４】
前記放出部と前記生成部とを制御する制御部を更に備え、
前記放出部が、前記制御部の制御下で、前記音声を第１音量で放出すると、前記生成部は、前記制御部の制御下で、第１量の前記有効成分を放出し、
前記放出部が、前記制御部の制御下で、前記音声を前記第１音量よりも大きな第２音量で放出すると、前記生成部は、前記制御部の制御下で、前記第１量よりも多い第２量の前記有効成分を放出することを特徴とする請求項１乃至３のいずれか１項に記載のスピーカ装置。
【請求項５】
前記生成部は、前記電極棒に対して前記放出方向に整列された環状電極を含み、
前記電極棒と前記環状電極との間での前記放電によって発生された前記有効成分は、前記環状電極を通じて放出されることを特徴とする請求項１に記載のスピーカ装置。
【発明の詳細な説明】
【技術分野】
【０００１】
本発明は、音声だけでなく、ラジカルや帯電微粒子水といった有効成分を放出することができるスピーカ装置に関する。
【背景技術】
【０００２】
特許文献１は、音声とともにマイナスイオンを放出するスピーカ装置を開示する。スピーカ装置は、マイナスイオンを放出し、使用者をリラックスさせる。
【０００３】
特許文献１のスピーカ装置は、筐体と、低周波発生器と、マイナスイオン発生器と、を備える。筐体は、共鳴空間を形成する。マイナスイオン発生器は、共鳴空間にマイナスイオンを放出する。低周波発生器は、マイナスイオンを共鳴空間から効率的に放出するために用いられる。
【先行技術文献】
【特許文献】
【０００４】
【特許文献１】特開２００６−３３７７１号公報
【発明の概要】
【発明が解決しようとする課題】
【０００５】
特許文献１によれば、共鳴空間からのマイナスイオンの効率的な放出のためには、低周波発生器は不可欠である。したがって、従来のスピーカ装置の製造コストは、高くなる。
【０００６】
本発明は、低廉に製造可能であり、且つ、有効成分を放出する機能を有するスピーカ装置を提供することを目的とする。
【課題を解決するための手段】
【０００７】
本発明の一局面に係るスピーカ装置は、音声信号に応じて音声を放出する放出部と、放電下で有効成分を生じさせる生成部と、を備える。前記生成部は、前記放電を引き起こす電極棒を含んでもよい。前記電極棒は、前記音声が放出される放出方向に延設されてもよい。
【０００８】
上記構成によれば、電極棒は、音声が放出される放出方向に延設されるので、電極棒によって引き起こされた放電下で生じた有効成分は、放出部から放出される音声とともに使用者に届きやすくなる。有効成分は、有効成分を放出するための追加的な設備なくして、適切な方向に放出されるので、スピーカ装置は低廉に製造される。
【０００９】
上記構成において、前記放出部は、前記音声が放出される放出領域を規定してもよい。前記電極棒の断面の中心を通過する中心線は、前記放出領域と交差してもよい。
【００１０】
上記構成によれば、電極棒の断面の中心を通過する中心線は、放出領域と交差するので、生成部は、放出部が形成される領域内で構築される。したがって、設計者は、スピーカ装置を小型にすることができる。
【００１１】
上記構成において、前記放出部は、前記音声が放出される放出領域を規定してもよい。前記生成部は、前記電極棒に対向する開口部が形成された開口部材を含んでもよい。前記開口部は、前記放出領域の上方に形成されてもよい。
【００１２】
上記構成によれば、開口部材の開口部は、電極棒に対向するので、電極棒によって引き起こされた放電下で生じた有効成分は、開口部を通じて放出される。開口部は、放出領域の上方に形成されるので、有効成分は、音声とともに使用者に届きやすくなる。
【００１３】
上記構成において、スピーカ装置は、前記放出部と前記生成部とを制御する制御部を更に備えてもよい。前記放出部が、前記制御部の制御下で、前記音声を第１音量で放出すると、前記生成部は、前記制御部の制御下で、第１量の前記有効成分を放出してもよい。前記放出部が、前記制御部の制御下で、前記音声を前記第１音量よりも大きな第２音量で放出すると、前記生成部は、前記制御部の制御下で、前記第１量よりも多い第２量の前記有効成分を放出してもよい。
【００１４】
上記構成によれば、放出部が、制御部の制御下で、音声を前記第１音量よりも大きな第２音量で放出すると、生成部は、制御部の制御下で、第１量よりも多い第２量の有効成分を放出するので、有効成分の放出量は、スピーカ装置の使用環境に適合することになる。
【００１５】
上記構成において、前記生成部は、前記電極棒に対して前記放出方向に整列された環状電極を含んでもよい。前記電極棒と前記環状電極との間での前記放電によって発生された前記有効成分は、前記環状電極を通じて放出されてもよい。
【００１６】
上記構成によれば、環状電極は、電極棒に対して、音声が放出される放出方向に整列されるので、有効成分の放出方向は、音声の放出方向に沿いやすくなる。
【発明の効果】
【００１７】
本発明に係るスピーカ装置は、低廉に製造され、且つ、有効成分を放出することができる。
【図面の簡単な説明】
【００１８】
【図１】第１実施形態のスピーカ装置の概念図である。
【図２】第２実施形態のスピーカ装置の概略図である。
【図３】図２に示されるスピーカ装置の例示的な使用方法の概略図である。
【図４】図２に示されるスピーカ装置の他の使用方法の概略図である。
【図５】第３実施形態のスピーカ装置の概略図である。
【図６】第４実施形態のスピーカ装置の概略図である。
【図７】第５実施形態のスピーカ装置の概略的なブロック図である。
【発明を実施するための形態】
【００１９】
添付の図面を参照して、様々なスピーカ装置が以下に説明される。スピーカ装置は、以下の説明によって、明確に理解可能である。「上」、「下」、「左」や「右」といった方向を表す用語は、単に、説明の明瞭化を目的とする。したがって、これらの用語は、限定的に解釈されるべきものではない。
【００２０】
＜第１実施形態＞
マイナスイオン、ラジカルや帯電微粒子水（以下、「微粒子水」と称される）といった有効成分は、人体に対して様々な効果を与えることができる。例えば、微粒子水は、毛髪のキューティクルを整える整髪作用や、肌に潤いを与える美肌作用を与えることができる。加えて、微粒子水は、微粒子水の噴霧領域内の空気や噴霧領域内に配置された物体から臭い成分を除去することができる。
【００２１】
スピーカ装置の主たる機能は、音声を人体に届けることである。音声とともに上述の有効成分が人体に提供されるならば、使用者は、有効成分からもたらされる有益な効果を享受しながら、音声を聴取することができる。第１実施形態において、音声とともに有効成分を使用者に効率的に届けることができるスピーカ装置が説明される。
【００２２】
図１は、第１実施形態のスピーカ装置１００の概念図である。図１を参照して、スピーカ装置１００が説明される。
【００２３】
スピーカ装置１００は、放出部２００と、生成部３００と、を備える。音声を表す音声信号は、放出部２００へ入力される。放出部２００は、音声信号に応じて音声を放出する。一般的なスピーカ装置に組み込まれた音声生成技術が、放出部２００に適用されてもよい。本実施形態の原理は、特定の音声生成技術に限定されない。
【００２４】
生成部３００は、放電下で、微粒子水、ラジカルやマイナスイオンといった有効成分を生成する。本実施形態の原理は、生成部３００によって生成される有効成分の特定の種類に限定されない。
【００２５】
有効成分は、放電を伴う様々な技術によって生成されてもよい。本実施形態の原理は、有効成分を生成するための特定の技術に限定されない。
【００２６】
生成部３００は、上述の放電を引き起こす電極棒３１０を含む。電極棒３１０は、音声が放出される放出方向に延設される。この結果、放電によって生じたイオン風は、音声の放出方向に略合致する方向に流れる。放電によって生じた有効成分は、イオン風に乗って使用者に届けられる。
【００２７】
＜第２実施形態＞
設計者は、第１実施形態に関連して説明された原理に基づいて、様々なスピーカ装置を設計することができる。第２実施形態において、例示的なスピーカ装置が説明される。
【００２８】
図２は、第２実施形態のスピーカ装置１００Ａの概略図である。図１及び図２を参照して、スピーカ装置１００Ａが説明される。
【００２９】
スピーカ装置１００Ａは、外筐体１１０と、入力端子１２１，１２２と、制御回路４００と、駆動部２１０と、振動膜２２０と、静電霧化装置３００Ａと、を備える。外筐体１１０は、後壁１１１と、前壁１１２と、を含む。入力端子１２１，１２２は、後壁１１１に取り付けられる。制御回路４００、駆動部２１０及び静電霧化装置３００Ａは、外筐体１１０内に配置される。振動膜２２０は、後壁１１１とは反対側の前壁１１２上で、音声が放出される略円形の放出領域を規定する。
【００３０】
音声信号は、入力端子１２１，１２２へ入力され、その後、制御回路４００によって増幅される。増幅された音声信号は、制御回路４００から駆動部２１０へ出力される。駆動部２１０は、増幅された音声信号に応じて振動膜２２０を振動させ、音声を放出領域から放出する。駆動部２１０及び振動膜２２０は、図１を参照して説明された放出部２００に対応する。
【００３１】
静電霧化装置３００Ａは、制御回路４００の制御下で動作する。静電霧化装置３００Ａは、電極棒３１０Ａと、内筐体３２０と、印加回路３３０と、熱交換器３４０と、を備える。電極棒３１０Ａは、前壁１１２に向けて延設される。電極棒３１０Ａは、前壁１１２に向けて狭まる先端部３１１を含む。電極棒３１０Ａは、図１を参照して説明された電極棒３１０に対応する。
【００３２】
内筐体３２０は、収容部３２１と、取付筒３２２と、を含む。電極棒３１０Ａ、印加回路３３０及び熱交換器３４０は、収容部３２１内に収容される。取付筒３２２は、収容部３２１を外筐体１１０に接続するために用いられる。取付筒３２２は、電極棒３１０Ａの先端部３１１に対向する開口部を規定する。本実施形態において、開口部材は、取付筒３２２によって例示される。尚、開口部材は、他の用途に用いられる部材であってもよい。
【００３３】
熱交換器３４０は、電極棒３１０Ａを冷却し、電極棒３１０Ａ上で結露を生じさせる。印加回路３３０は、電極棒３１０Ａからの放電を生じさせるのに十分に高い電圧を、電極棒３１０Ａに印加する。この結果、電極棒３１０Ａの先端部３１１に電界が集中し、放電が引き起こされる。先端部３１１の周囲には、結露によって電極棒３１０Ａに付着した水が存在するので、ラジカルを内包した微粒子水が放出される。微粒子水は、電極棒３１０Ａの周囲で生じた電界の影響下で、取付筒３２２を通じて、外筐体１１０から放出される。外筐体１１０から放出される微粒子水の移動方向は、電極棒３１０Ａの延設方向に略一致する。すなわち、微粒子水の放出方向は、音声の放出方向と略合致する。したがって、微粒子水は、音声を聴取する使用者に効率的に到達することができる。
【００３４】
熱交換器３４０は、印加回路３３０を通じて供給された電力によって動作するペルチエ素子を含んでもよい。本実施形態の原理は、熱交換器３４０の特定の構造に限定されない。
【００３５】
取付筒３２２は、振動膜２２０によって規定される放出領域の上方で、収容部３２１を前壁１１２に接続する。微粒子水は、音声によって振動された空気の層上で放出されることになるので、微粒子水は床面に落下しにくくなる。この結果、微粒子水の飛空量は、非常に長くなる。
【００３６】
図３は、スピーカ装置１００Ａの例示的な使用方法の概略図である。図３を参照して、スピーカ装置１００Ａの使用方法が説明される。
【００３７】
使用者は、机上にスピーカ装置１００Ａを設置することができる。使用者が音声を良好に聞き取れるように、使用者は、スピーカ装置１００Ａの向きを調整する。上述の如く、有効成分の放出方向は、音声の放出方向に略一致するので、有効成分は、使用者に効率的に到達することができる。図３に示されるスピーカ装置１００Ａは、机上に設置されるので、机上で作業を行う使用者の顔や頭部の周囲で漂うことができる。したがって、使用者は、微粒子水によってもたらされる美髪効果や美肌効果を効果的に享受することができる。
【００３８】
図４は、スピーカ装置１００Ａの他の使用方法の概略図である。図４を参照して、スピーカ装置１００Ａの使用方法が説明される。
【００３９】
使用者は、床上にスピーカ装置１００Ａを設置することができる。使用者が音声を良好に聞き取れるように、使用者は、スピーカ装置１００Ａの向き及び位置を調整する。上述の如く、有効成分の放出方向は、音声の放出方向に略一致するので、有効成分は、使用者が存在する空間へ効率的に到達することができる。したがって、微粒子水は、使用者の周囲の空間中の空気や使用者の周囲に存在する物体から臭いを効率的に除去することができる。
【００４０】
＜第３実施形態＞
有効成分の放出方向は、電極棒に対向する対向電極によって決定されてもよい。第３実施形態において、対向電極を有するスピーカ装置が説明される。
【００４１】
図５は、第３実施形態のスピーカ装置１００Ｂの概略図である。図５を参照して、スピーカ装置１００Ｂが説明される。第２実施形態と同一の機能を有する要素に対して、同一の符号が付されている。第２実施形態に関連する説明は、同一の符号が付された要素に援用される。
【００４２】
第２実施形態と同様に、スピーカ装置１００Ｂは、外筐体１１０と、入力端子１２１，１２２と、制御回路４００と、駆動部２１０と、振動膜２２０と、を備える。スピーカ装置１００Ｂは、静電霧化装置３００Ｂを更に備える。
【００４３】
静電霧化装置３００Ｂは、制御回路４００の制御下で動作する。第１実施形態と同様に、静電霧化装置３００Ｂは、電極棒３１０Ａと、内筐体３２０と、熱交換器３４０と、を備える。
【００４４】
静電霧化装置３００Ｂは、印加回路３３０Ｂと、環状の対向電極３５０と、を更に備える。対向電極３５０は、取付筒３２２に取り付けられ、電極棒３１０Ａに対して音声の放出方向と略等しい方向に整列される。印加回路３３０Ｂは、電極棒３１０Ａ及び対向電極３５０のうち少なくとも一方に電圧を印加し、放電を生じさせるのに十分に高い電位差を、電極棒３１０Ａと対向電極３５０との間に生じさせる。電極棒３１０Ａと対向電極３５０との間で生じた放電は、電極棒３１０Ａから対向電極３５０へ向かうイオン風を生じさせる。したがって、放電によって生じた有効成分は、対向電極３５０を通じて、外筐体１１０から放出される。本実施形態において、環状電極は、対向電極３５０によって例示される。
【００４５】
＜第４実施形態＞
電極棒の断面の中心を通過する中心線が、音声が放出される放出領域を交差するように、電極棒が配置されるならば、生成部は、放出部と共通する空間内で構築される。したがって、設計者は、小さなスピーカ装置を設計することができる。第４実施形態において、小型のスピーカ装置を設計するための技術が説明される。
【００４６】
図６は、第４実施形態のスピーカ装置１００Ｃの概略図である。図１及び図６を参照して、スピーカ装置１００Ｃが説明される。第３実施形態と同一の機能を有する要素に対して、同一の符号が付されている。第３実施形態に関連する説明は、同一の符号が付された要素に援用される
【００４７】
第３実施形態と同様に、スピーカ装置１００Ｃは、入力端子１２１，１２２と、制御回路４００と、を備える。スピーカ装置１００Ｃは、外筐体１１０Ｃと、駆動部２１０Ｃと、振動膜２２０Ｃと、静電霧化装置３００Ｃと、を更に備える。
【００４８】
第３実施形態と同様に、外筐体１１０Ｃは、入力端子１２１，１２２が取り付けられる後壁１１１を含む。外筐体１１０Ｃは、後壁１１１とは反対側の前壁１１２Ｃを更に含む。前壁１１２Ｃの領域の多くは、環状の振動膜２２０Ｃによって占められる。振動膜２２０Ｃは、音声が放出される略円形の放出領域を規定する。
【００４９】
音声信号は、入力端子１２１，１２２へ入力され、その後、制御回路４００によって増幅される。増幅された音声信号は、制御回路４００から筒状の駆動部２１０Ｃへ出力される。駆動部２１０Ｃは、増幅された音声信号に応じて振動膜２２０Ｃを振動させ、音声を放出領域から放出する。駆動部２１０Ｃ及び振動膜２２０Ｃは、図１を参照して説明された放出部２００に対応する。
【００５０】
静電霧化装置３００Ｃは、制御回路４００の制御下で動作する。第３実施形態と同様に、静電霧化装置３００Ｃは、電極棒３１０Ａと、印加回路３３０と、熱交換器３４０と、を備える。静電霧化装置３００Ｃは、内筐体３２０Ｃを更に備える。
【００５１】
第３実施形態と同様に、内筐体３２０Ｃは、収容部３２１を含む。内筐体３２０Ｃは、取付筒３２２Ｃを更に含む。取付筒３２２Ｃは、環状の駆動部２１０Ｃに挿入される。取付筒３２２Ｃは、電極棒３１０Ａの先端部３１１に対向する開口部を規定する。本実施形態において、開口部材は、取付筒３２２Ｃによって例示される。
【００５２】
電極棒３１０Ａからの放電によって生じた有効成分は、取付筒３２２Ｃを通過する。取付筒３２２Ｃは、放出領域内で開口するので、微粒子水は、音声とともに使用者へ伝搬しやすくなる。
【００５３】
本実施形態において、取付筒３２２Ｃの中心は、円形の放出領域の中心に略一致する。代替的に、取付筒３２２Ｃの中心は、放出領域の中心からずれていてもよい。
【００５４】
＜第５実施形態＞
使用者が、大きな音量を設定するとき、使用者は、スピーカ装置から離れていることが多い。この場合、スピーカ装置から多量の有効成分が放出されることが好ましい。使用者が、小さな音量を設定するとき、使用者は、スピーカ装置の近くにいることが多い。この場合、スピーカ装置から多量の有効成分を放出することは、電力を不必要に消費することを意味する。したがって、有効成分の放出量は、音量と連動して調整されることが好ましい。第５実施形態において、音量と連動して、有効成分の放出量を調整することができるスピーカ装置が説明される。
【００５５】
図７は、第５実施形態のスピーカ装置１００Ｄの概略的なブロック図である。図２及び図７を参照して、スピーカ装置１００Ｄが説明される。第２実施形態と同一の機能を有する要素に対して、同一の符号が付されている。
【００５６】
スピーカ装置１００Ｄは、放出部２００Ｄと、生成部３００Ｄと、制御部４００Ｄと、を備える。制御部４００Ｄは、放出部２００Ｄと生成部３００Ｄとを制御する。
【００５７】
放出部２００Ｄは、第１駆動部２１０Ｄと、振動膜２２０Ｄと、を含む。第１駆動部２１０Ｄは、図２を参照して説明された駆動部２１０に対応する。振動膜２２０Ｄは、図２を参照して説明された振動膜２２０に対応する。
【００５８】
生成部３００Ｄは、電極棒３１０Ｄと、第２駆動部３３０Ｄと、熱交換器３４０Ｄと、を含む。電極棒３１０Ｄは、図２を参照して説明された電極棒３１０Ａに対応する。第２駆動部３３０Ｄは、図２を参照して説明された印加回路３３０に対応する。熱交換器３４０Ｄは、図２を参照して説明された熱交換器３４０に対応する。
【００５９】
制御部４００Ｄは、第１入力部４１０と、第２入力部４２０と、音量調整部４３０と、信号生成部４４０と、を含む。第１入力部４１０は、入力端子１２１，１２２に対応する。音声信号は、第１入力部４１０を通じて、信号生成部４４０に入力される。
【００６０】
使用者は、リモートコントローラ（図示せず）を操作し、スピーカ装置１００Ｄを操作してもよい。リモートコントローラは、使用者の操作に応じて、音量を設定するための音量信号を生成してもよい。音量信号は、リモートコントローラから第２入力部４２０へ出力されてもよい。代替的に、音量は、ダイヤルノブの操作によって調整されてもよい。本実施形態の原理は、特定の音量調整方法に限定されない。
【００６１】
音量信号は、第２入力部４２０を通じて、音量調整部４３０に入力される。音量調整部４３０は、音量信号に応じて、音量を設定する。音量調整部４３０は、設定された音量を表す設定信号を生成する。設定信号は、音量調整部４３０から信号生成部４４０へ出力される。
【００６２】
信号生成部４４０は、第１信号生成部４４１と、第２信号生成部４４２と、を含む。第１信号生成部４４１は、音声信号と設定信号とに応じて、第１駆動部２１０Ｄを制御するための第１制御信号ＦＣＳを生成する。第１制御信号ＦＣＳは、第１信号生成部４４１から第１駆動部２１０Ｄへ出力される。第１駆動部２１０Ｄは、第１制御信号ＦＣＳに応じて、振動膜２２０Ｄを駆動する。この結果、振動膜２２０Ｄは、音声信号によって表される音声を、設定信号によって設定された音量で放出する。
【００６３】
第２信号生成部４４２は、音声信号の入力に応じて、設定信号によって表された音量に対応した微粒子水の放出量を設定する。第２信号生成部４４２は、設定された微粒子水の放出量を表す第２制御信号ＳＣＳを生成する。第２駆動部３３０Ｄは、第２制御信号ＳＣＳに応じて、電極棒３１０Ｄ及び熱交換器３４０Ｄを駆動する。
【００６４】
第２制御信号ＳＣＳによって表される微粒子水の放出量が大きいならば、第２駆動部３３０Ｄは、電極棒３１０Ｄに高い電圧を印加してもよい。第２制御信号ＳＣＳによって表される微粒子水の放出量が小さいならば、第２駆動部３３０Ｄは、電極棒３１０Ｄに低い電圧を印加してもよい。
【００６５】
第２制御信号ＳＣＳによって表される微粒子水の放出量が大きいならば、第２駆動部３３０Ｄは、大きな吸熱量を熱交換器３４０Ｄに設定してもよい。第２制御信号ＳＣＳによって表される微粒子水の放出量が小さいならば、第２駆動部３３０Ｄは、小さな吸熱量を熱交換器３４０Ｄに設定してもよい。
【００６６】
放出部２００Ｄが、制御部４００Ｄの制御下で、音声を第１音量で放出すると、生成部３００Ｄは、制御部４００Ｄの制御下で、第１量の微粒子水を放出することができる。放出部２００Ｄが、制御部４００Ｄの制御下で、音声を第１音量よりも大きな第２音量で放出すると、生成部３００Ｄは、制御部４００Ｄの制御下で、第１量よりも多い第２量の微粒子水を放出することができる。
【００６７】
例えば、使用者は、就寝時において、音声を第１音量に設定してもよい。放出部２００Ｄが、制御部４００Ｄの制御下で、音声を第１音量で放出している間、生成部３００Ｄは、微粒子水を間欠的に生成及び放出してもよい。この結果、スピーカ装置１００Ｄが、長時間に亘って微粒子水を生成及び放出しても、スピーカ装置１００Ｄが消費する電力量は、過度に大きくならない。放出部２００Ｄが、制御部４００Ｄの制御下で、音声を第２音量で放出している間、生成部３００Ｄは、微粒子水を連続的に生成及び放出してもよい。この結果、使用者が音声を聴取している間、使用者は、微粒子水からの有益な効果を効率的に享受することができる。
【００６８】
スピーカ装置１００Ｄは、音声信号の不存在下（音声信号の入力前或いは音声信号の停止後）では、微粒子水を生成しなくてもよい。この結果、スピーカ装置１００Ｄは、電力を不必要に消費しなくなる。
【００６９】
上述の様々な実施形態の原理は、互いに組み合わされてもよい。設計者は、上述のスピーカ装置に追加的な設備を与えてもよい。例えば、設計者は、音声の放出方向に向かう風を作り出す送風機構をスピーカ装置に組み込んでもよい。送風機構が、放電空間に空気を送り込むならば、有効成分は、スピーカ装置から離れた領域へ到達することができる。
【産業上の利用可能性】
【００７０】
上述の様々な実施形態の原理は、音声を発する様々な装置に好適に利用される。
【符号の説明】
【００７１】
１００，１００Ａ，１００Ｂ，１００Ｃ，１００Ｄ・・・・・スピーカ装置
２００，２００Ｄ・・・・・・・・・・・・・・・・・・・・放出部
３００，３００Ｄ・・・・・・・・・・・・・・・・・・・・生成部
３１０，３１０Ａ，３１０Ｄ・・・・・・・・・・・・・・・電極棒
３２２，３２２Ｃ・・・・・・・・・・・・・・・・・・・・取付筒
３５０・・・・・・・・・・・・・・・・・・・・・・・・・対向電極
４００Ｄ・・・・・・・・・・・・・・・・・・・・・・・・制御部
【図１】
2015201747.tif 000003
【図２】
2015201747.tif 000004
【図３】
2015201747.tif 000005
【図４】
2015201747.tif 000006
【図５】
2015201747.tif 000007
【図６】
2015201747.tif 000008
【図７】
2015201747.tif 000009